(57)【特許請求の範囲】
【請求項１】
排気過給機軸受筐体（１）であって、
圧縮機側筐体フランジ（２）を有し、
前記筐体フランジ（２）に一体的に接続され、油入口（２０）および油出口（２１）を有する油チャンバ（５）の第１の部分セクション（４）がその中に配設された中央筐体セクション（３）を有し、
タービン側筐体フランジ（７）を有し、前記油チャンバ（５）の第２の部分セクション（８）をその中に配設した、タービン側筐体セクション（６）を有し、
前記中央筐体セクション（３）および前記タービン側筐体セクション（６）は、油冷却ダクト（１３）を備え、
前記油冷却ダクト（１３）がオーバーフロー（１０）を介して前記油チャンバ（５）に接続され、
前記油冷却ダクト（１３）が、前記オーバーフロー（１０）から前記油出口（２１）へと蛇行する様式で通る３つのダクトセクション（１３Ａ、１３Ｂ、１３Ｃ）を有し、
油入口ダクト（１１、１２）が設けられた軸受スリーブ（９）が、軸受筐体（１）の中央筐体セクション（３）とタービン側筐体セクション（６）の中に挿入され、当該軸受スリーブ（９）並びに前記中央筐体セクション（３）及びタービン側筐体セクション（６）が、前記油チャンバを区切り、前記軸受スリーブ（９）は、前記油チャンバ（５）から前記油冷却ダクト（１３）を分離させる、排気過給機軸受筐体（１）。
【請求項２】
前記油冷却ダクト（１３）が前記油入口（２０）から分岐して出て、前記油出口（２１）内に開口する、請求項１に記載の軸受筐体（１）。
【請求項３】
前記油冷却ダクト（１３）内の貫流速度が、前記油冷却ダクト（１３）の断面積によって決定される、請求項１に記載の軸受筐体（１）。
【発明の詳細な説明】
【技術分野】
【０００１】
本発明は、特許請求項１のプリアンブルによる排気過給機の軸受筐体に関する。
【背景技術】
【０００２】
前記タイプの軸受筐体は、独国特許出願公開第４３３０３８０Ａ１号明細書から既知である。この既知の軸受筐体は、軸受インサートと、軸受インサートを少なくとも部分的に包囲する軸受ディッシュとに分けられる。ここで、軸受筐体の軸受を冷却するための油チャンバは、鋳造部品である軸受インサート内に形成される。構成及び製造の単純化を達成するために前記配設の手段によって探し求められるとしても、結果的に鋳造によって容易に生産することができない比較的複雑な幾何学的形状となるので、油チャンバをともなう軸受インサートの設計は厄介である。さらに、軸受筐体およびその軸受の冷却には、改良の余地がある。
【発明の概要】
【発明が解決しようとする課題】
【０００３】
したがって、本発明の目的は、特許請求項１のプリアンブルによる、単純化された筐体設計を有しつつ改良された冷却特性を有する、排気過給機の軸受筐体を提供することである。
【課題を解決するための手段】
【０００４】
前記目的は、特許請求項１の特徴の手段により達成される。
【０００５】
油冷却ダクトの提供の結果として、油チャンバに入ってくる油を軸受筐体の軸受配列に供給するために最初に使用することが可能である。過剰の油は、油冷却ダクト内に導くことができ、その結果として、流速および軸受の配列による一貫性（油ミスト及び油泡）について影響されることなく、より多くの油がより大きい表面積の周りを流れる、改良された冷却動作が達成される。
【０００６】
特に好適な実施形態では、油冷却ダクトを油チャンバから分離する軸受スリーブが提供された場合、前記軸受スリーブは、油冷却ダクトにより高温タービン側から効果的に密封することができる。さらに、軸受潤滑の機能と冷却の機能との間で、油量を分けることができ、さらに調節することができる。このようにして、より少ない油が動的密封へと回され、これは密封動作を改善する。
【０００７】
油冷却ダクトの音響遮蔽効果の結果として、および軸受スリーブの減衰の結果として、もたらされる音響における改善がある。
【０００８】
製造のために、対応して設計された内側中子が提供されてもよい。前記大きい、容易にアクセスできる内側中子の結果として、軸受筐体上部からの砂除去が容易である。
【０００９】
代替的な実施形態では、単一片の軸受筐体の場合、すなわち挿入可能な軸受スリーブ無しに、対応する中子形成の手段により油冷却ダクトが製造される。ここで、油冷却ダクトは、油入口から分岐して出て、タービン側において直接油出口へと導かれる。
【００１０】
第１の実施形態のように、結果的に有利点がある。第１に、水冷却の配設の必要が除去され、一方で、軸受領域への、油の過剰な量をともなわずに（跳ね損失の減少）、油供給を確実にするために、潤滑および冷却のために使用される油ダクトまたは油チャンバを分離するべきであり、不浸透性は、軸受筐体の故障をもたらすことにならないので、ダクト（油冷却ダクトと油潤滑ダクトとの）間の壁厚さは、費用を低減するために小さくてもよい。  
【００１１】
したがって、第１の実施形態および第２の実施形態の特定の際立った有利点は、構成要素の単純化、より小さい接地空間、およびより少ない動力損失および改善された油の漏れをもたらす軸受配列コア内での油処理量の低減の結果としての費用の低減である。
【００１２】
従属請求項は、本発明の有利な改良に関する。
【００１３】
本発明のさらなる詳細、有利点、および特徴は、図面に基づく以下の例示的な実施形態の記述から明らかになる。
【図面の簡単な説明】
【００１４】
【図１】本発明による、軸受筐体をともなって提供される過給機本体グループの概略的に若干単純化した図を示す。
【図２】本発明による、軸受スリーブの挿入の前の、軸受筐体の断面図を示す。
【図３】本発明による、軸受スリーブの挿入およびロータ組み立て後の、軸受筐体の斜視図を示す。
【図４】本発明による、軸受筐体を生産するための中子の斜視図を示す。
【図５】図１に対応する代替的な軸受筐体の図を示す。
【発明を実施するための形態】
【００１５】
図１は、本発明による、軸受筐体１を有する排気過給機本体グループを図示する。本体グループは、ロータを形成するように、一端に圧縮機ホイール１５が取り付けられ、もう一方の側にタービンホイール１９が取り付けられた、シャフト１６も含む。シャフト１６は、圧縮機側軸受配列１７およびタービン側軸受配列１８の手段により、アキシャル軸受２２とともに軸受筐体１内に取り付けられる。図１に示されていない圧縮機筐体およびタービン筐体が前記本体グループに加えられる場合、本発明を以下に詳細に記述する軸受筐体１をともなう排気過給機として、記述することもできるように、これは排気過給機を生み出す。
【００１６】
図２は、軸受スリーブ９の挿入前の、本発明による軸受筐体１を図示する。軸受筐体１は、圧縮機側筐体フランジ２と、筐体フランジ２に一体的に接続され、油チャンバ５の第１の部分セクション４（図１を参照のこと）がその中に配設される中央筐体セクション３と、タービン側筐体フランジ７を有し、油チャンバ５の第２の部分セクション８（図１を参照のこと）がその中に配設されるタービン側筐体セクション６とを備える。油入口２０および油出口２１は、前記図から見ることができる。
【００１７】
中央筐体セクション３およびタービン側筐体セクション６は、一体で形成され、別個の構成要素を形成する軸受スリーブ９は、中央筐体セクション３およびタービン側筐体セクション６内に挿入される。前述の配設の有利点は、軸受スリーブ９ならびに２つの筐体セクション３および６がともに油チャンバ５を区切る点である。
【００１８】
前記実施形態では、油チャンバ５はオーバーフロー１０を介して油冷却ダクト１３に接続されることを、図１〜図３から見ることができる。図１にも示されるように、軸受スリーブ９は油入口ダクト１１、１２を備える。
【００１９】
図１〜図３の軸受筐体の実施形態は、油チャンバ５から分岐して出て油冷却ダクト１３へと導くオーバーフロー１０を有する。図に示した例示的な実施形態では、前記油冷却ダクト１３は、３つのダクトセクション１３Ａ、１３Ｂ、および１３Ｃを有し、軸受筐体９を高温のタービン側から遮蔽することができるように、主としてタービン側筐体セクション６内を蛇行した様式で通る。これは、特に図３から見ることができる。
【００２０】
図２および図３は、油出口２１内に開口する、最終的なダクトセクション１３Ｃも示す。
【００２１】
図４は、軸受筐体１の製造のための中子Ｋを斜視図で示し、この中子は、油中子（ＯＫ）と冷却ダクト中子ＫＫとに分けられる油チャンバ中子（ＯＲ）を有し、図４の図から直接的に見ることができるように、全体を鋳造された軸受筐体１内で、油チャンバ５および油冷却ダクト１３の上述の設計を生み出す。
【００２２】
図５は、軸受筐体１の代替的な実施形態を図示し、ここで図１〜図３のものに対応する全ての部品は、同一の参照記号を備える。図１〜図３の２部品の実施形態とは対照的に、ここで、単一部品軸受筐体１が提供され、これは、図５に示されるように、この場合も、高温のタービン側からの熱的な遮蔽を可能にするために、油入口２０から分岐して出て主としてタービン側筐体セクション６内を通る油冷却ダクト１３’を有する。油冷却ダクト１３’は、図５から直接的に見ることができるように、油出口２１内に開口する。
【００２３】
上記の開示を補足するために、図１〜図５において本発明の図式的な図示の参照が明示的に行われる。
【符号の説明】
【００２４】
１  軸受筐体
２  圧縮機側筐体フランジ
３  中央筐体セクション
４  第１の部分セクション
５  油チャンバ
６  タービン側筐体セクション
７  タービン側筐体フランジ
８  第２の部分セクション
９  軸受スリーブ
１０  オーバーフロー
１１  油流入ダクト
１２  油流入ダクト
１３  油冷却ダクト
１３’  油冷却ダクト
１３Ａ  ダクトセクション
１３Ｂ  ダクトセクション
１３Ｃ  ダクトセクション
１５  圧縮機ホイール
１６  シャフト
１７  軸受配列
１８  タービン側  軸受配列
１９  タービンホイール
２０  油入口
２１  油出口
２２  アキシャル軸受
Ｋ  中子
ＯＫ  油中子
ＯＲ  油チャンバ
ＫＫ  冷却ダクト中子
【図１】
0005897009.tif 000002
【図２】
0005897009.tif 000003
【図３】
0005897009.tif 000004
【図４】
0005897009.tif 000005
【図５】
0005897009.tif 000006